(57)【要約】      （修正有）【課題】ワイヤガイドがガイドスロットから不所望に抜け出すことがなく、ガイドスロット内の正規の位置に自動的に復帰させることができる自動販売機の商品収納払出し装置を提供する。【解決手段】自動販売機の商品収納払出し装置は、商品収納コラム、商品払出しユニット５及びワイヤガイドを備え、商品払出しユニット５は、ワイヤガイドの貫通を許容するガイドスロット１２と、ガイドスロットへのワイヤガイドの導入を許容する導入溝１４と、ガイドスロット１２の内壁面１２ａに突設され、導入溝１４に向かうワイヤガイドの移動を規制するロアストッパ３０と、ガイドスロット１２の内壁面１２ｂに形成され、前記ガイドスロット１２の幅を導入溝１４に向けて拡開させる傾斜面２６と、この傾斜面２６の直下のアッパストッパ３０と有する。【選択図】図７
2014203246.tif 000002
【特許請求の範囲】
【請求項１】
自動販売機内に配置され、背面が開口面に形成された商品収納コラムと、
前記商品収納コラムの底を形成し、前記商品収納コラム内に商品を積み重ねて収納可能とする一方、前記商品収納コラム内の最下位の商品を前記商品収納コラムの前方に払出し可能な商品払出しユニットと、
前記商品収納コラムの前記開口面にて上下方向にスプリングを介して張架され、前記商品収納コラムの幅方向への移動が許容された状態で、前記商品払出しユニットの背部を貫通するワイヤガイドとを備え、
前記商品払出しユニットは、
前記背部に形成され、前記商品収納コラムの幅方向に延び且つ前記ワイヤガイドの貫通を許容するガイドスロットと、
前記背部の背面に開口する一方、前記商品収納コラムの幅方向でみて片側に位置したガイドロットの端に連通し、前記ガイドスロットへの前記ワイヤガイドの導入を許容する導入溝と、
前記ガイドスロットの幅を規定する２つの内壁面のうち、前記背面から遠く離れた側の一方の内壁面に突設され、前記導入溝に向かう前記ワイヤガイドの移動を規制するロアストッパと、
前記２つの内壁面のうちの他方の内壁面にて、前記他方の内壁面の前記導入溝側に位置した上部に形成され、前記ガイドスロットの幅を前記導入溝に向けて拡開させる傾斜面と、
前記他方の内壁面にて、前記ロアストッパの上方で且つ前記傾斜面の直下に設けられ、前記傾斜面よりも前記一方の内壁面に向けて突出したアッパストッパと
を含むことを特徴とする自動販売機の商品収納払出し装置。
【請求項２】
前記商品払出しユニットは、
前記背部の前記背面に形成され、前記ロアストッパを露出させるとともに前記ガイドスロット及び前記導入溝の下部を形成する開口域と、
前記開口域に臨む前記他方の内壁面の下縁と前記ロアストッパとの間に確保され、前記ワイヤガイドの通過を許容する第１間隙と
を更に含むことを特徴とする請求項１に記載の自動販売機の商品収納払出し装置。
【請求項３】
前記導入溝の上部は、前記商品収納コラムの幅方向でみて中央側の溝壁を傾斜させることで、前記開口域に向けて拡開した幅を有することを特徴とする請求項２に記載の自動販売機の商品収納払出し装置。
【請求項４】
前記商品払出しユニットは、
前記背面に前記開口域を部分的に覆った状態で設けられ、前記商品払出しユニットに電気的に接続されるコードハーネスを前記ワイヤガイドから保護するハーネス保護部と、
前記ハーネス保護部と前記ロアストッパとの間に確保され、前記ワイヤガイドの通過を許容する第２間隙と
を更に含むことを特徴とする請求項２又は３に記載の自動販売機の商品収納払出し装置。
【発明の詳細な説明】
【技術分野】
【０００１】
本発明は、シガレットパック等の比較的軽量な商品に好適した自動販売機の商品収納払出し装置に関する。
【背景技術】
【０００２】
この種の自動販売機の商品収納払出し装置は、自動販売機の機内に配置され、背面が開口面として形成された商品収納コラムと、この商品収納コラムの下部に配置された商品払出しユニットとを備え、この商品払出しユニットは商品収納コラムの底を形成することで商品収納コラム内に商品を一列に積み重ねて収容可能とし、また、商品収納コラム内の最下位の商品を商品収納コラムの前方に順次払い出し可能に構成されている（特許文献１の図１，図２参照）。
【０００３】
一方、商品収納払出し装置は、商品収納コラムの開口面にワイヤガイドを更に備え、このワイヤガイドはスプリングを介して上下方向に張架され、商品払出しユニットの背部を貫通している。このようなワイヤガイドは、収納商品が商品収納コラムの開口面から脱落するのを阻止する一方、商品の払出しに伴い降下する商品列の案内をなす。
【０００４】
しかしながら、商品収納コラムへの商品の補充の際、上述のワイヤガイドは商品の補充に邪魔になる。このため、ワイヤガイドは商品収納コラムの幅方向への移動が許容されている。詳しくは、商品払出しユニットの背部には商品収納コラムの幅方向に延びるガイドスロットが形成され、このガイドスロットにワイヤガイドが挿通されている。それ故、ガイドスロットの長さ分だけ商品収納コラムの幅方向でみて片側にワイヤガイドを撓ませて寄せることができる。これにより、商品収納コラムの開口面は大きく開かれ、商品の充填又は補充が可能となる。
【先行技術文献】
【特許文献】
【０００５】
【特許文献１】特開2006-146688号公報
【発明の概要】
【発明が解決しようとする課題】
【０００６】
ところで、上述したガイドスロット内にワイヤガイドを導くため、商品払出しユニットの背面には導入溝が開口し、この導入溝は上下方向に延び且つ商品収納コラムの幅方向でみて前記片側に位置したガイドスロットの端に連通している。それ故、ワイヤガイドは導入溝内を通じてガイドスロット内に導入可能である。
更に、導入溝の奥部には突起状のワイヤ規制部が形成され、このワイヤ規制部は導入溝の幅を狭め、ワイヤガイドがガイドスロットの一端から導入溝に不用意に引き出されるのを防止する。
【０００７】
しかしながら、商品の補充の際、ワイヤガイドがガイドスロットからワイヤ規制部を乗り越え、導入溝まで一旦引き出されてしまうことがある。この場合、商品の補充完了後、ワイヤガイドがスプリングの付勢力を受け、ガイドスロット内に戻ろうとしても、ワイヤ規制部に引っ掛かり、ガイドスロット内の正規の位置までに自動的に戻ることができない。このような状況が万一見過ごされてしまうと、商品収納コラムの開口面は大きく開いたままの状態となり、商品収納コラムからの商品の脱落を招く。
【０００８】
本発明は上述の事情に基づいてなされ、その第１の目的はワイヤガイドがガイドスロットから不所望に抜け出すことがなく、ガイドスロット内の正規の位置に自動的に復帰させることができる自動販売機の商品収納払出し装置を提供することにあり、第２の目的は第１の目的に更に加えて、ワイヤガイドが張架された状態でも、ワイヤガイドを正規の位置に容易に装着することができる自動販売機の商品収納払出し装置を提供することにある。
【課題を解決するための手段】
【０００９】
第１の目的を達成する本発明の自動販売機の商品収納払出し装置は、前述した商品収納コラム、商品払出しユニット及びワイヤガイドをそれぞれ備え、本発明の場合、商品払出しユニットは、商品払出しユニットの背部に形成され、商品収納コラムの幅方向に延び且つワイヤガイドの貫通を許容するガイドスロットと、背部の背面に開口する一方、商品収納コラムの幅方向でみて片側に位置したガイドロットの端に連通し、ガイドスロットへのワイヤガイドの導入を許容する導入溝と、ガイドスロットの幅を規定する２つの内壁面のうち、商品払出しユニットの背面から遠く離れた側の一方の内壁面に突設され、導入溝に向かうワイヤガイドの移動を規制するロアストッパと、２つの内壁面のうちの他方の内壁面にて、導入溝側に位置した他方の内壁面の上部に形成され、前記ガイドスロットの幅を導入溝に向けて拡開させる傾斜面と、他方の内壁面にて、ロアストッパの上方で且つ傾斜面の直下に設けられ、傾斜面よりも一方の内壁面に向けて突出したアッパストッパとを含む（請求項１）。
【００１０】
上述の商品収納払出し装置によれば、商品収納コラムへの商品の充填や補充のため、ワイヤガイドが正規の位置からスプリングの付勢力に抗して引っ張られ、ガイドスロットに沿い商品収納コラムの幅方向に導入溝に向けて移動されても、このようなワイヤガイドの移動はロアストッパにより規制され、ワイヤガイドがガイドスロットから導入溝に抜け出ることはない。
【００１１】
また、この際、ワイヤガイドが商品払出しユニットの背面側に引き付けられていても、ワイヤガイドはガイドスロットの傾斜面に案内されて屈曲し、アッパストッパに係止される。この結果、ワイヤガイドはガイドスロット内に常時保持され、ワイヤガイドがガイドスロットから抜け出ることはなく、内商品の充填や補充の完了後、スプリングの付勢力により正規の位置に自動的に復帰する。
【００１２】
商品払出しユニットは、商品払出しユニットにおける背部の背面に形成され、ロアストッパを露出させるとともにガイドスロット及び導入溝の下部を形成する開口域と、この開口域に臨む他方の内壁面の下縁とロアストッパとの間に確保され、ワイヤガイドの通過を許容する第１間隙と更に含む（請求項２）。
【００１３】
上述した開口域及び第１間隙は、ロアストッパの存在に拘らず、ワイヤガイドを張架させた状態のまま、ガイドスロット内へのワイヤガイドの導入を可能にする。
この場合、導入溝の上部は、商品収納コラムの幅方向でみて中央側の溝壁を傾斜させることで、開口域に向けて拡開した幅を有しているのが好ましい（請求項３）。このように導入溝の幅が拡開されていれば、ガイドスロット内へのワイヤガイドの導入が更に容易となる。
【００１４】
更に、商品払出しユニットは背面に開口域部を部分的に覆った状態で設けられ、商品払出しユニットに電気的に接続されるコードハーネスをワイヤガイドから保護するハーネス保護部と、このハーネス保護部とロアストッパとの間に確保され、ワイヤガイドの通過を許容する第２間隙とを更に含むことができる（請求項４）。この場合、ハーネス保護部はガイドスロット内へのワイヤガイドの導入を案内するガイドとしても機能する。
【発明の効果】
【００１５】
請求項１の自動販売機の商品収納払出し装置は、ワイヤガイドがガイドスロットから不所望に引き出されることがなく、ガイドスロット内の正規の位置に自動的に復帰させることができる。
請求項２〜４の自動販売機の商品収納払出し装置は、ワイヤガイドが張架された状態でも、ワイヤガイドを正規の位置に容易に装着することができる。
【図面の簡単な説明】
【００１６】
【図１】前扉が開かれた自動販売機を示す斜視図である。
【図２】図１の自動販売機の縦断面図である。
【図３】本発明の一実施形態に係る商品収納払出し装置の一部を示した斜視図である。
【図４】図３の商品収納払出し装置からシガレットパックを除いた図である。
【図５】図４の商品収納払出し装置からハーネスカバーを除いた図である。
【図６】図５の商品払出しユニットの斜視図である。
【図７】図６の商品払出しユニットの一部を破断して示した図である。
【図８】ワイヤガイドが手前側に引き付けられながら、商品収納コラムの片側に寄せられた状態を示す図である。
【図９】図８の状態にて、ワイヤガイドがアッパストッパに係止することを示した図である。
【図１０】ワイヤガイドの装着過程を示した図である。
【発明を実施するための形態】
【００１７】
図１及び図２を参照すれば、本発明の一実施形態に係るシガレットパックの自動販売機は、機体１と、この機体１の前面に設けられた開閉可能な前扉２とを備え、図１では前扉２は開いた状態にある。機体１内及び前扉２の裏面には多数の商品収納払出し装置が配置され、この商品収納払出し装置は商品収納コラム３を備えている。この商品収納コラム３は上下方向に延び、仕切り板４によって区画されている。なお、隣接する商品収納コラム３の仕切り板４は共用されている。
【００１８】
各商品収納払出し装置は商品払出しユニット５を更に備え、この商品払出しユニット５は商品収納コラム３の下部に配置され、商品収納コラム３の底を形成する。それ故、商品収納コラム３は複数のシガレットパックＣＰを１列に積み重ねて収納することができる。
図２に示されるように、機体１の背壁と機体１の商品収納コラム３との間には商品払出し通路６ａが確保され、一方、前扉２の内面と前扉２側の商品収納コラム３との間にも商品払出し通路６ｂが確保されている。
【００１９】
それ故、機体１側の商品払出しユニット５は対応する商品収納コラム３内から最下位に位置したシガレットパックＣＰを商品払出し通路６ａに払出すことができ、一方、前扉２側の商品払出しユニット５は対応する商品収納コラム３内から最下位に位置したシガレットパックＣＰを商品払出し通路６ｂに払出すことができる。
【００２０】
即ち、前扉２が閉じた状態にあるとき、機体１側の商品収納コラム３と前扉２側の商品収納コラム３とは背中合わせとなり、そして、前扉２が開かれたとき、図１から明らかなように機体１側の商品収納コラム３及び前扉２側の商品収納コラム３は共に背面が露出し、これら背面は全て開口面として形成されている。なお、各商品収納コラム３の前面にはその下部にシガレットパックＣＰの１個分の通過を許容する商品払出し口が確保されている。
【００２１】
商品払出し通路６ａ，６ｂの下端は商品シュート９に連なり、この商品シュート９は商品払出し通路６ａ，６ｂ内に払出されたシガレットパックＣＰを前扉２の商品取出し口８の近傍まで導く。それ故、購買者は、商品取出し口８を通じてシガレットパックＣＰの取出しが可能となる。
本実施形態の場合、商品収納コラム３内へのシガレットパックＣＰの充填及び補充は、商品収納コラム３の背面、つまり、開口面から行うことができる。このため、商品収納払出し装置は、商品収納コラム３の開口面にワイヤガイド７を更に備えており、このワイヤガイド７は商品収納コラム３の幅方向でみて開口面の中央寄りに位置付けられ、上下方向に延びている。
【００２２】
商品収納払出し装置（商品収納コラム３）が上下に隣接して配置されていれば、これら商品収納払出し装置のワイヤガイド７は共用される。この場合、ワイヤガイド７は上端がスプリング１０を介して例えば機体１の天板に結合され、且つ、下端が最下位に位置した商品払出しユニット５の下面に係止された状態で張架されており、この際、ワイヤガイド７は各商品収納払出し装置の商品払出しユニット５の背部をそれぞれ貫通している。
【００２３】
なお、ワイヤガイド７が単一の商品収納コラム３に配置されるだけであれば、ワイヤガイド７の下端はその商品収納コラム３自体の商品払出しユニット５の下面にて係止される。
図３から明らかなように、上述したワイヤガイド７は商品収納コラム３からのシガレットパックＣＰの脱落を防止する一方、シガレットパックＣＰの払出しに伴い、商品収納コラム３内にて降下するシガレットパック列を案内する。
【００２４】
図４を参照すれば、商品払出しユニット５の背部とワイヤガイド７との関係がより明瞭に示されている。商品払出しユニット５の背部にはガイドスロット１２が形成され、このガイドスロット１２は商品収納コラム３の幅方向に延びている。本実施形態の場合、ガイドスロット１２は商品収納コラム３の幅方向でみて、中央よりに位置した一端と、一方の仕切り板４の近傍に位置した他端とを有し、この他端からは導入溝１４が商品払出しユニット５の背面まで延び、この背面にて開口している。
【００２５】
導入溝１４の詳細は図５及び図６を参照すればより明らかとなる。
導入溝１４の上部１４Uは、商品収納コラム３の幅方向でみて中央側の溝壁を傾斜させることで、商品払出しユニット５の上面、つまり、商品収納コラム３の底から下方に向かうに連れて増加した幅を有し、そして、導入溝１４の下部及びガイドスロット１２の下部は共通の開口部１６として形成されている。この開口部１６は商品払出しユニット５の背面５Rにて大きく開口し、背面５Rからみてガイドスロット１２の奧側の内壁面１２ａを露出させている。
【００２６】
一方、背面５Rの下部にはU字形の切欠１８が形成され、この切欠１８は開口部１６に連通するとともに、前述したガイドスロット１２の一端部の側に位置付けられている。更に、背面５Rの下縁には凹み２０が形成され、この凹み２０は切欠１８の下方位置から商品収納コラム３（商品払出しユニット５）の幅方向に沿い前述した一方の仕切り板４に向けて延びている。即ち、凹み２０はガイドスロット１２の下方に位置付けられている。上述の開口部１６、切欠１８及び凹み２０は背面５Rの開口域を構成する。
【００２７】
図５から明らかなようにワイヤガイド７は、通常、前述したガイドスロット１２の一端にて規定された正規の位置に位置付けられ、ガイドスロット１２内を下方に向けて真っ直ぐ延び、この後、切欠１８及び凹み２０を通過して商品払出しユニット５の下方に更に延出され、下段の商品収納コラム３のワイヤガイド７として使用される。なお、ここでの商品払出しユニット５が前述した最下位の商品払出しユニット５である場合、ワイヤガイド７の下端は最下位の商品払出しユニット５の下面に係止される。
【００２８】
更に、商品払出しユニット５の背面５Rにはハーネス保護部２２が形成され、このハーネス保護部２２は前述の開口部１６を部分的に覆い、図３及び図４に示すハーネスカバー２４と協働し、ケーブルハーネス（図示しない）の敷設通路を形成する。
なお、ケーブルハーネスは商品払出しユニット５に電気的に接続される電線の束であり、また、ハーネスカバー２４は機体１又は前扉２の幅方向に延び、複数の商品払出しユニット５に共用されている。
【００２９】
一方、図７を参照すればより明らかなように、背面５R側に位置したガイドスロット１２の内壁面１２ｂにおいて、導入溝１４側の上部は傾斜面２６として形成されている。このような傾斜面２６はガイドスロット１２の幅を導入溝１４側に向けて拡開させる。
更に、傾斜面２６の直下には三角形状のアッパストッパ２８が形成されている。このアッパストッパ２８は傾斜面２６よりもガイドスロット１２の内壁面１２ａに向けて突出し、後述するようにガイドスロット１２からのワイヤガイド７の不所望な抜け出しを阻止する。
【００３０】
また、図６から明らかなように、前述した開口部１６に露出したガイドスロット１２の内壁面１２ａからはロアストッパ３０が突出され、このロアストッパ３０はアッパストッパ２８の下方、例えば、前述したハーネス保護部２２の上縁とほぼ同一の高さレベルに配置されている。このようなロアストッパ３０もまた、ガイドスロット１２からのワイヤガイド７の不所望な抜け出しを阻止する。
開口部１６に臨む内壁面１２ｂの下縁とロアストッパ３０との間には第１間隙３２が確保されているとともに、ロアストッパ３０と前述したハーネス保護部２２との間にも第２間隙３４が確保され、これら第１及び第２間隙３２，３４はワイヤガイド７の通過を許容する大きさを有する。
【００３１】
上述した商品収納払出し装置によれば、商品収納コラム３内にシガレットパックＣＰの充填又は補充を行う場合、図５に示した正規の位置からガイドスロット１２に沿い商品収納コラム３の幅方向にワイヤガイド７をスプリング１０の付勢力に抗して引っ張れば、ワイヤガイド７を商品収納コラム３の片側（一方の仕切り板４側）に撓ませて寄せることができる。それ故、商品収納コラム３の開口面が大きく開かれ、商品収納コラム３内へのシガレットパックＣＰの充填又は補充を容易になすことができる。
【００３２】
この際、ワイヤガイド７はロアストッパ３０に係止された状態にあり、ワイヤガイド７がガイドスロット１２から導入溝１４に不所望に抜け出すことはない。
更に、ワイヤガイド７の引っ張りと同時に、図８に示されるようにワイヤガイド７が手前側に引き付けられたとしても、商品払出しユニット５から上方に延びるワイヤガイド７の部位はガイドスロット１２の傾斜面２６に沿い屈曲して引き出されることから、図９から明らかなようにワイヤガイド７はガイドスロット１２のアッパストッパ２８に係止される。
【００３３】
それ故、アッパストッパ２８よりも下側のワイヤガイド７の部位がロアストッパ３０を乗り越えてしまうことはない。この結果、ワイヤガイド７が引き付けられたとしても、アッパストッパ２８及びロアストッパ３０は互いに協働して、ガイドスロット１２から導入溝１４へのワイヤガイド７の不所望な抜け出し防止することができる。
このようにワイヤガイド７はガイドスロット１２内に常に保持された状態に維持されるので、ワイヤガイド７の引っ張りや引き付けが解除されれば、ワイヤガイド７はスプリング１０の付勢力により正規の位置（ガイドスロット１２の一端）に自動的に復帰し、前述した本来の機能を発揮する。
【００３４】
一方、図１０は、ガイドスロット１２内へのワイヤガイド７の装着過程を示す。ワイヤガイド７の装着には先ず、ハーネスカバー２４が取り外される。この状態で、ワイヤガイド７は導入溝１４及びロアストッパ３０と内壁面１２ｂとの間の第１間隙３２を通じてガイドスロット１２に導かれ、商品払出しユニット５から上方に延びるワイヤガイド７の部位をガイドスロット１２の一端まで寄せる。この際、導入溝１４の上部の幅が開口部１６に向けて拡開されているので、ここでのワイヤガイド７の引き回しは容易である。
【００３５】
この後、ワイヤガイド７を商品払出しユニット５における背面５Rの切欠１８内に導き、そして、切欠１８とロアストッパ３０との間に位置するワイヤガイド７の部位をハーネス保護部２２とロアストッパ３０との間の第２間隙３４を通じてガイドスロット１２の一端側に寄せれば（図１０の状態）、ハーネス保護部２２がガイドとなり、ワイヤガイド７は図５に示す正規の位置に位置付けられる。この後、ハーネスカバー２４を取付け、ワイヤガイド７の装着が完了する。
上述したワイヤガイド７の装着は、ロアストッパ３０の存在に拘らず、ワイヤガイド７を張架したままで行え、容易である。
【００３６】
本発明は上述の一実施形態に制約されるものではない。
例えば、ガイドスロット１２、導入溝１４、アッパストッパ２８及びロアストッパ３０等の形状は図示の例に限らず、種々に変更することができる。
また、本発明の商品収納払出し装置はシガレットパックＣＰに限らず、比較的軽量な商品にも同様に適用可能である。
【符号の説明】
【００３７】
１              機体（自動販売機）
２              前扉（自動販売機）
３              商品収納コラム
４              仕切り板
５              商品払出しユニット
５R            背面
７              ワイヤガイド
１２            ガイドスロット
１２ａ，１２ｂ  内壁面
１４            導入溝
１６            開口部（開口域）
１８            切欠（開口域）
２２            ハーネス保護部
２４            ハーネスカバー
２８            アッパストッパ
３０            ロアストッパ
３２            第１間隙
３４            第２間隙
【図１】
2014203246.tif 000003
【図２】
2014203246.tif 000004
【図３】
2014203246.tif 000005
【図４】
2014203246.tif 000006
【図５】
2014203246.tif 000007
【図６】
2014203246.tif 000008
【図７】
2014203246.tif 000009
【図８】
2014203246.tif 000010
【図９】
2014203246.tif 000011
【図１０】
2014203246.tif 000012